(57)【要約】      （修正有）【課題】使用者がキャップを小さな力で文房具本体に容易に取付ることができると共に、文房具本体から取外すことができるキャップ取付構造を提供する。【解決手段】ハサミ本体５１の端部には、幅方向両側に、キャップを固定しうる係止部１１が設けられる。上記キャップには上記係止部１１に係合する係合部が設けられ、上記係止部１１は、上記細長文房具本体の先端部方向へ拡開するテーパ状平面部１３と、上記テーパ状平面部１３を画成すると共に上記先端部方向に至るに従って高さ寸法が低くなるテーパ状突部１４と、上記テーパ状平面部１３の端部側に形成された開放端部１５とを有すると共に、上記係合部は、上記テーパ状平面部１３に適合する平面形状を有すると共にキャップの幅方向に沿って弾性変形して上記係止部１１に係合しうる一対の係止片部を有する。【選択図】図２
0003177249.tif 000002
【実用新案登録請求の範囲】
【請求項１】
細長文房具本体の端部を被覆するキャップの細長文房具本体へのキャップ取り付け構造であって、上記細長文房具本体の端部には、幅方向両側に夫々、キャップを固定しうる係止部が設けられると共に上記キャップには上記係止部に係合する係合部が設けられ、上記係止部は、上記細長文房具本体の先端部方向へ拡開するテーパ状平面部と、上記テーパ状平面部を画成すると共に上記先端部方向に至るに従って高さ寸法が低くなるテーパ状突部と、上記テーパ状平面部の端部側に形成された開放端部とを有すると共に、上記係合部は、上記テーパ状平面部に適合する平面形状を有すると共にキャップの幅方向に沿って弾性変形して上記係止部に係合しうる一対の係止片部を有することを特徴とする文房具のキャップ取り付け構造。
【請求項２】
上記テーパ状平面部には突部が設けられていると共に上記係合部には上記突部を収納しうる孔部が形成されていることを特徴とする請求項１記載の文房具のキャップ取り付け構造。
【請求項３】
上記係止片部は、先端部に至るに従って細幅となる平面テーパ状に形成されていると共に、先端部に至るに従って小さな厚さ寸法となるように形成されていることを特徴とする請求項１記載の文房具のキャップ取り付け構造。
【請求項４】
上記細長文房具本体及びキャップは断面略四角形状に形成され、対向する両側面部に上記係止部及び係止片部が形成されていることを特徴とする請求項１記載の文房具のキャップ取り付け構造。
【請求項５】
上記細長文房具本体及びキャップは合成樹脂により形成されていることを特徴とする請求項４記載の文房具のキャップ取り付け構造。
【請求項６】
上記細長文房具はハサミであって、細長文房具本体は、互いに先端部において軸部を介して回動可能に接合された一対の把持部と、上記把持部の先端部に、夫々、突設された刃部とを有し、上記突部は上記軸部により構成されていると共に、上記キャップは上記刃部を被覆するように配設されることを特徴とする請求項５記載の文房具のキャップ取り付け構造。
【請求項７】
上記テーパ状平面部は上記把持部の外側部一般面よりも内方に段差部を以て形成されると共に、上記テーパ状突部は上記段差部により構成されていることを特徴とする請求項６記載の文房具のキャップ取り付け構造。
【請求項８】
上記係止片部は上記キャップの互いに対向する一対の側面部に一体に形成されキャップの後端部から突設されると共に、上記係止片部の基部の両側には、長さ方向に沿って形成されたスリット部が設けられていることを特徴とする請求項４記載のキャップ取り付け構造。
【考案の詳細な説明】
【技術分野】
【０００１】
本考案は、キャップ取付構造の改良に関する。
【背景技術】
【０００２】
公知の細長文房具本体の端部を被覆するキャップの細長文房具本体へのキャップ取り付け構造として、細長文房具本体に突部が設けられるとともに、上記突部に係合しうる係合部が形成されたキャップが提案されている（特許文献１）。
【０００３】
しかしながら、上記係合部に上記突部を係合させ、キャップにより細長文房具本体を被覆させる場合、あるいは、上記孔部から上記突部を離脱させ、キャップを細長文房具本体から取り外す場合には、キャップを長さ方向に沿って細長文房具本体に所定の力を以って圧入又は引き抜くことが必要であることから、キャップの脱着作業が煩雑である、という不具合がある。
【特許文献１】実開昭５７−４１７８５号公報
【考案の開示】
【考案が解決しようとする課題】
【０００４】
本考案の課題は、使用者がキャップを小さな力で文房具本体に容易に取付ることができると共に、文房具本体から取外すことができるキャップ取付構造を提供することにある。
【課題を解決するための手段】
【０００５】
上記課題を解決するために、請求項１に記載された考案に係るキャップ取付構造は、上記細長文房具本体の端部には、幅方向両側に夫々、キャップを固定しうる係止部が設けられると共に上記キャップには上記係止部に係合する係合部が設けられ、上記係止部は、上記細長文房具本体の先端部方向へ拡開するテーパ状平面部と、上記テーパ状平面部を画成すると共に上記先端部方向に至るに従って高さ寸法が低くなるテーパ状突部と、上記テーパ状平面部の端部側に形成された開放端部とを有すると共に、上記係合部は、上記テーパ状平面部に適合する平面形状を有すると共にキャップの幅方向に沿って弾性変形して上記係止部に係合しうる一対の係止片部を有することを特徴とする。
【０００６】
請求項２記載の考案に係るキャップ取付構造においては、上記テーパ状平面部には突部が設けられていると共に上記係合部には上記突部を収納しうる孔部が形成されていることを特徴とする。
【０００７】
請求項３記載の考案に係るキャップ取付構造においては、上記係止片部は、先端部に至るに従って細幅となる平面テーパ状に形成されていると共に、先端部に至るに従って小さな厚さ寸法となるように形成されていることを特徴とする。
【０００８】
請求項４記載の考案に係るキャップ取付構造においては、上記細長文房具本体及びキャップは断面略四角形状に形成され、対向する両側面部に上記係止部及び係止片部が形成されていることを特徴とする。
【０００９】
請求項５記載の考案に係るキャップ取付構造においては、上記細長文房具本体及びキャップは合成樹脂により形成されていることを特徴とする。
【００１０】
請求項６記載の考案に係るキャップ取付構造においては、上記細長文房具はハサミであって、細長文房具本体は、互いに先端部において軸部を介して回動可能に接合された一対の把持部と、上記把持部の先端部に、夫々、突設された刃部とを有し、上記突部は上記軸部により構成されていると共に、上記キャップは上記刃部を被覆するように配設されるこことを特徴とする。
【００１１】
請求項７記載の考案に係るキャップ取付構造においては、上記テーパ状平面部は上記把持部の外側部一般面よりも内方に段差部を以て形成されると共に、上記テーパ状突部は上記段差部により構成されていることを特徴とする。
【００１２】
請求項８記載の考案に係るキャップ取付構造においては、上記係止片部は上記キャップの互いに対向する一対の側面部に一体に形成されキャップの後端部から突設されると共に、上記係止片部の基部の両側には、長さ方向に沿って形成されたスリット部が設けられていることを特徴とする。
【考案の効果】
【００１３】
請求項１記載の考案にあっては、上記細長文房具本体の端部には、幅方向両側に夫々、キャップを固定しうる係止部が設けられると共に上記キャップには上記係止部に係合する係合部が設けられ、上記係止部は、上記細長文房具本体の先端部方向へ拡開するテーパ状平面部と、上記テーパ状平面部を画成すると共に上記先端部方向に至るに従って高さ寸法が低くなるテーパ状突部と、上記テーパ状平面部の端部側に形成された開放端部とを有すると共に、上記係合部は、上記テーパ状平面部に適合する平面形状を有すると共にキャップの幅方向に沿って弾性変形して上記係止部に係合しうる一対の係止片部を有することから、細長文房具本体にキャップ本体を取り付ける場合には、上記テーパ状平面部に、上記係止片部が適合した状態で配置され、上記係止部を上記係合部が挟持することにより、上記キャップが上記細長文房具本体に取付けられる。
また、上記細長文房具本体からキャップを取外す場合には、上記係止部は、上記細長文房具本体の先端部方向へ拡開する上記テーパ状平面部及びテーパ状突部を有することから、
キャップの側面部方向に沿って回転させるように捻ることにより、上記係止片部をテーパ状平面部から離脱させることができ、上記開放端部を介して、上記細長文房具本体からキャップが外れる。
その結果、使用者がキャップを小さな力で文房具本体に容易に取付ることができると共に、文房具本体から取外すことができるキャップ取付構造を提供することができる。
【００１４】
請求項２記載の考案にあっては、上記テーパ状平面部には突部が設けられていると共に上記係合部には上記突部を収納しうる孔部が形成されていることから、上記突部が上記孔部に収納されると、上記突部が上記孔部に係合した状態となることから、請求項２記載の考案にあっては、請求項１記載の考案の効果に加えて、上記細長文房具本体と上記キャップとを確実に係止させることができる、という効果を奏する。
【００１５】
請求項３記載の考案にあっては、上記係止片部は、先端部に至るに従って細幅となる平面テーパ状に形成されていると共に、先端部に至るに従って小さな厚さ寸法となるように形成されていることから、上記細長文房具本体にキャップを取付ける際に、よりスムーズに係合部を係止部へ係合させることができる。
その結果、請求項１の効果に加えて、よりキャップの細長文房具本体への取付、取外しが容易となるキャップ取付構造を提供することができる。
【００１６】
請求項４記載の考案にあっては、上記細長文房具本体及びキャップは断面略四角形状に形成され、対向する両側面部に上記係止部及び係止片部が形成されていることを特徴とする。
請求項４記載の考案にあっては、対向する両側面部に上記係止部及び係止片部が形成されていることから、キャップを確実に細長文房具本体に固定することができるキャップの取り付け構造を提供することができる。
【００１７】
請求項５記載の考案にあっては、上記細長文房具本体及びキャップは合成樹脂により形成されていることから、キャップが弾性変形し易い。その結果、請求項５記載の考案にあっては、請求項４の効果に加えて、製造コストを低減してキャップを細長文房具本体に容易かつ確実に固定することができるキャップ取付構造を提供することができる。
【００１８】
請求項６記載の考案にあっては、上記細長文房具はハサミであって、細長文房具本体は、互いに先端部において軸部を介して回動可能に接合された一対の把持部と、上記把持部の先端部に、夫々、突設された刃部とを有し、上記突部は上記軸部により構成されていると共に、上記キャップは上記刃部を被覆するように配設されることから、使用者がキャップを小さな力でハサミ本体に容易に取付ることができると共に、ハサミ本体から取外すことができるキャップ取付構造を提供することができる。
【００１９】
また、請求項７記載の考案にあっては、上記テーパ状平面部は上記把持部の外側部一般面よりも内方に段差部を以て形成されると共に、上記テーパ状突部は上記段差部により構成されていることから、キャップのハサミ本体への取り付け時には、係止片部が上記テーパ状平面部に配置されることにより、把持部の外側部一般面と係止片部の上面部とが略連続するように配置されることから外観品質の良好なキャップ取り付け構造を提供することができる。
【００２０】
請求項８記載の考案にあっては、上記係止片部は上記キャップの互いに対向する一対の側面部に一体に形成されキャップの後端部から突設されると共に、上記係止片部の基部の両側には、長さ方向に沿って形成されたスリット部が設けられていることから、上記係止片部が拡開しやすくなり、上記係止片部が弾性変形し易くなる。
その結果、請求項４の効果に加えて、キャップの細長文房具本体への脱着をさらにスムーズに行うことができる。
【図面の簡単な説明】
【００２１】
【図１】本考案に係るキャップ取付構造の一実施の形態を示し、キャップが細長文房具に取付けられている状態を示す斜視図である。
【図２】本考案に係るキャップ取付構造の一実施の形態を示し、キャップが取り外された状態の細長文房具を示す側面図である。
【図３】本考案に係るキャップ取付構造の一実施の形態を示し、キャップを示す斜視図である。
【図４】本考案に係るキャップ取付構造の一実施の形態を示し、キャップを示す側面図である。
【図５】本考案に係るキャップ取付構造の一実施の形態を示し、キャップが取り付けられた状態の細長文房具を部分的に示す側面図である。
【図６】本考案に係るキャップ取付構造の一実施の形態を示し、実施の形態における細長文房具をハサミとして使用する状態を示す正面図である。
【図７】本考案に係るキャップ取付構造の一実施の形態を示し、実施の形態における細長文房具からキャップを捻るように取外す状態を示す正面図である。
【考案を実施するための最良の形態】
【００２２】
以下、添付図面に示す実施の形態に基づき、本考案に係るキャップ取付構造をハサミに適用した場合を例に詳細に説明する。
【００２３】
図１乃至図７に示すように、上記細長文房具はハサミ５２であって、ハサミ本体５１と、ハサミ本体５１の刃部５７を着脱可能に被覆しうるキャップ７０とにより構成されている。
ハサミ本体５１は、全体合成樹脂製であって、図７に示すように、軸部５４を介して回動可能に接合された一対の把持部５５、５５と、上記把持部５５、５５の先端部５５a、５５aに、夫々、突設された刃部５７、５７とを有しており、上記刃部５７、５７は上記軸部５４を介して双方向（矢印方向）に交差して回動するように構成されている。
【００２４】
図１乃至図５に示すように、上記ハサミ本体５１及びキャップ７０は横断面略四角形状に形成され、いずれも全体として全体略細長直方体状に形成されている。
【００２５】
図１及び図６に示すように、上記ハサミ本体５１の把持部５５、５５には、夫々、外側面部には長さ方向に沿って長孔部５９、５９が夫々設けられ、上記長孔部５９内には、合成樹脂製の細幅のワイヤ状に形成され、幅方向外方へ突出するハンドルフレーム部６０が、長さ方向に沿って内装されている。
上記ハンドルフレーム部６０の後端部６０aは把持部５５の後端部５５bに固定されると共に、先端部６０ｂはスライド孔部６４内に内装されたスライダ部６１に固定されている。
その結果、スライド孔部６４内にスライド可能に配設されたスライダ部６１を作動させることによりハンドルフレーム部６０を外方へ湾曲した状態で膨出させて、ハサミ本体５１の使用時に指を挿入して使用できる一対のハンドル部６２、６２を外方へ拡開して形成できるように構成されている。
【００２６】
図1乃至図３に示すように、上記ハサミ本体５１の把持部５５、５５の先端部５５a、５５aには、互いに対向する幅方向両側面部に、夫々、キャップ７０を固定しうる係止部１１、１１が設けられている。
図２に示すように、上記係止部１１は、上記ハサミ本体５１の先端部、即ち、刃部５７方向へ拡開するテーパ状平面部１３と、上記テーパ状平面部１３を画成すると共に上記先端部方向に至るに従って、高さ寸法が把持部５５の一般面５５cから刃部５７方向へ至るに従って次第に低くなる段差部５８と、上記テーパ状平面部１３の端部側に形成された開放端部１５とを有している。
【００２７】
上記テーパ状平面部１３の開放端部１５は半円形状に膨出して形成されており、上記段差部５８は半円状基部５８ａと、上記半円状基部５８ａの両端部から刃部５７方向へ夫々延設された直線部５８ｂ、５８ｂとにより構成されている。
上記半円状基部５８ａ及び直線部５８ｂ、５８ｂは、上記一般面５５cとテーパ状平面部１３との間に形成され、厚さ方向において外方へ拡開するように傾斜した斜面部１４ａを有している。
図１及び図２に示すように、上記テーパ状平面部１３の略中央部には略半球状に形成された突部１７が設けられている。
【００２８】
図３に示すように、上記キャップ７０には上記ハサミ本体５１の係止部１１、１１に係合する係合部１２、１２が、幅方向において互いに対向して設けられている。係合部１２、１２は、キャップ７０の幅方向に沿って弾性変形して上記係止部１１、１１に係合しうる一対の同一形状の係止片部１６ａ、１６ｂにより構成されている。
【００２９】
本実施の形態にあっては、一方の係止片部１６ａは、クリップ部７４と同一の側面部７３ａの下端部に形成されると共に、他方の係止片部１６ｂは、上記側面部７３ａに対向する側面部７３ｃの下端部に形成されている。
【００３０】
図３に示すように、上記係止片部１６ａ、１６ｂの平面形状は、上記テーパ状平面部１３に適合するように、テーパ状平面部１３と同一の大きさであって、先端部２１に至るに従って細幅となるような平面においてテーパ状に形成されている。
【００３１】
図４に示すように、係止片部１６ａ、１６ｂは、上面部２２が上記側面部７３ａの一般面７３eと同一平面上に形成され、下面部２３は、先端部２１に至るに従って次第に小さな厚さ寸法になるようにテーパ状に形成されている。
【００３２】
上記係止片部１６ａ、１６ｂには、夫々、上記突部１７を収納しうる孔部１８が厚さ方向に貫通して開設されており、孔部１８の内径は、上記突部１７の径寸法と略同一に形成されている。
【００３３】
また、係止片部１６ａ、１６ｂの基端部の両側には、互いに対向する側面部７３a、７３cの下端部となる部位に長さ方向に沿ってスリット部２０、２０が所定の長さ寸法に亘り形成されている。
【００３４】
以下、本実施の形態に係るキャップ取付構造の作用について説明する。
ハサミ本体５１にキャップ７０を取り付ける場合には、図５に示すように、把持部５５、５５を閉じた状態で、重ねあわされた刃部５７、５７の先端部方向から、キャップ７０をハサミ本体５１の長さ方向に沿わせて刃部５７、５７を被覆するように挿入する。
【００３５】
キャップ７０がハサミ本体５１の刃部５７、５７を被覆するように挿入された場合には、上記係合部１２、１２に設けられた係止片部１６ａ、１６ｂが、夫々、一対の把持部５５、５５に形成された係止部１１、１１のテーパ状平面部１３、１３に形成された突部１７、１７に当接する。
【００３６】
この場合、図５に示すように、上記係止片部１６ａ、１６ｂは、夫々、幅方向外方へ拡開して弾性変形することにより、上記一対の係止片部１６ａ、１６ｂが上記半球状突部１７、１７を乗り越える。
本実施の形態にあっては、上記係止片部１６ａ、１６ｂの基部１９、１９の両側には、夫々、長さ方向に沿って形成されたスリット部２０、２０が設けられていることから、スリット部２０、２０の長さ寸法を確保することができることから、上記係止片部１６ａ、１６ｂは弾性変形して拡開する。
【００３７】
図１に示すように、上記係止片部１６ａ、１６ｂは、テーパ状平面部１３、１３に適合しうるように、先端部２１に至るに従って細幅となる平面テーパ状に形成されていると共に同一の大きさに形成されていることから、係止片部１６ａ、１６ｂはテーパ状平面部１３、１３に適合した状態で、テーパ状平面部１３、１３内に配置される。
【００３８】
その結果、上記半球状突部１７、１７は上記係止片部１６ａ、１６ｂに開設された孔部１８、１８に収納されることから、上記係合部１２は上記係止部１１に係合する。
その結果、上記ハサミ本体５１にキャップ７０を取付ける際に、スムーズに係合部１２を係止部１１へ係合させることができる。
【００３９】
一方、ハサミ本体５１からキャップ７０を取り外す場合には、図6に示すように、キャップ７０を、キャップ７０の側面部７３ａ、７３ｂ、７３ｃ、７３ｄ方向に回転させるように捻る。この捻り動作により、上記係止片部１６ａ、１６ｂの下面部２３は突部１７、１７の上面部２４を滑ることから、一対の孔部１８、１８と突部１７、１７との係合が解除される。
【００４０】
また、この場合、図6に示すように、高さ寸法が把持部５５の一般面５５ｃから刃部５７方向へ至るに従って次第に低くなる段差部５８が形成されると共に、上記テーパ状平面部１３、１３を画成する直線部５８ｂ、５８ｂは、厚さ方向において外方へ拡開するように傾斜した斜面部１４ａを有していることから、上記捻り動作が係止片部１６ａ、１６ｂに加えられた場合には、係止片部１６ａ、１６ｂは容易にテーパ状平面部１３、１３から離脱する。
その結果、キャップ７０が上記ハサミ本体５１の先端部方向に移動し、上記開放端部１
５を介して、上記ハサミ本体５１からキャップ７０が外れる。
【００４１】
本実施の形態にあっては、上記のように、一対の係止片部１６ａ、１６ｂは、テーパ状平面部１３、１３に適合しうるように、先端部２１に至るに従って細幅となる平面テーパ状に形成されていると共に同一の大きさに形成されており、係止片部１６ａ、１６ｂに形成された孔部１８、１８が、テーパ状平面部１３、１３に形成された略半球状の突部１７、１７に係合することによりキャップ７０がハサミ本体５１に固定されるように構成されていることから、キャップ被覆時には、突部１７、１７の上面部２４と、テーパ状平面部１３、１３の下面部２３との略点接触状態により係合状態に至ることから、非常に軽い力でキャップ７０をハサミ本体５１に固定することができる。
【００４２】
また、固定後は、上記突部１７、１７が孔部１８、１８内に収納されて係止片部１６ａ、１６ｂによる係合部１２が係止部１１に係止することから、キャップ７０は確実にハサミ本体５１に固定される。
【００４３】
さらに、係止片部１６ａ、１６ｂの基端部の両側には、スリット部２０、２０が、夫々、形成されていることから、係止片部１６ａ、１６ｂが突部１７、１７に係合する際には、弾性変形して拡開しやすくなり、非常に軽い力によりキャップ７０をハサミ本体５１に固定することが可能となる。
その結果、キャップ７０のハサミ本体５１への固定時に要する力を軽減し、キャップ７０をハサミ本体５１へ固定しやすい文房具のキャップ取付構造を提供することができる。
【００４４】
また、キャップ７０の取り外し時においても、上記のように、係止片部１６ａ、１６ｂの基端部の両側には、スリット部２０、２０が、夫々、形成されていることから、係止片部１６ａ、１６ｂの長さ方向寸法が確保することできるため、キャップ７０を捻った場合には、容易に弾性変形して係止片部１６ａ、１６ｂの幅方向に沿って加えられる捻り応力を吸収することができる。
【００４５】
また、上記のように、突部１７、１７の上面部２４と、テーパ状平面部１３、１３の下面部２３との略点接触状態により係合状態に至ることから、上記テーパ状平面部１３、１３を構成する半円部５８ａ及び直線部５８ｂ、５８ｂが、上記一般面５５ｃとテーパ状平面部１３との間に形成され、厚さ方向において外方へ拡開するように傾斜した斜面部１４ａを有していることと相俟って、上記捻りの動作が係止片部１６ａ、１６ｂに加えられた場合には、係止片部１６ａ、１６ｂは容易にテーパ状平面部１３、１３から離脱し、非常に軽い力で孔部１８、１８と突部１７、１７との係合状態を解除することができる。
【００４６】
さらに、上記の捻り動作を加えた場合には、係止片部１６ａ、１６ｂは、弾性変形することにより幅方向外方へ拡開して突部１７、１７を乗り越えるが、突部１７、１７の頂部を通過した場合には、係止片部１６ａ、１６ｂは、弾性変形して拡開した際に発生した変形応力により元の形状に復帰する。
【００４７】
従って、この元の形状に復帰する変形応力により突部１７、１７の上面部２４を下降することから、頂部を経過した後は、上記元の状態に復帰しようとする変形応力と突部１７、１７の上面部２４の下降作用が相俟って係止片部１６ａ、１６ｂは非常に軽快に係合部１２から離脱する。
【００４８】
従って、本実施の形態にあっては、キャップ７０のハサミ本体５１からの取り外し時における使用者の力を軽減し、キャップ７０をハサミ本体５１から取り外しやすい文房具のキャップ取付構造を提供することができる。
【産業上の利用可能性】
【００４９】
本考案は、細長文房具のキャップ取付構造に適用可能であることから広く産業上の利用可能性を有している。
【符号の説明】
【００５０】
１１  係止部
１２  係合部
１３  テーパ状平面部
１４  テーパ状突部
１４ａ  斜面部
１５  開放端部
１６a 係止片部
１６b係止片部
１７  突部
１８  孔部
１９  基部
２０  スリット部
２１  先端部
２２  上面部
２３  下面部
２４  上面部
５１  ハサミ本体
５２  ハサミ
５４  軸部
５５  把持部
５５a 先端部
５５b 後端部
５５c 一般面
５７  刃部
５８  段差部
５８ａ  半円状基部
５８ｂ  直線部
５９  長孔部
６０  ハンドルフレーム部
６０a 後端部
６０b 先端部
６１  スライダ部
６２  ハンドル部
６４  スライド孔部
７０  キャップ
７３  側面部
７３a  側面部
７３b  側面部
７３c  側面部
７３d  側面部
７３e  一般面
７４  クリップ部
【図１】
0003177249.tif 000003
【図２】
0003177249.tif 000004
【図３】
0003177249.tif 000005
【図４】
0003177249.tif 000006
【図５】
0003177249.tif 000007
【図６】
0003177249.tif 000008
【図７】
0003177249.tif 000009